(57)【要約】【課題】抜き差し可能なトレイを備える用紙処理装置にして、トレイのがたつきを防止しながらその抜き差しを容易に行えるようにする。【解決手段】装置本体１に、用紙を支持するトレイ２が抜き差し可能に設けられる。装置本体１は、トレイ２を所定の装着位置に案内する左右一対のトレイガイド６と、トレイガイド６に近接して上下方向に揺動可能に設けられるロックレバー７とを備える。トレイガイド６は、トレイ２の下部側縁を支持する座板部６１と、座板部６１を部分的に切り欠いた切欠部６４とを有する。一方、ロックレバー７は、その一端部がトリガー部７２、他の一端部が掛金部７３とされる。トリガー部７２は、切欠部６４より座板部６１上に突出してトレイ２が装着位置に配されたとき該トレイ２の下部側縁により押し下げられ、このとき掛金部７３がトレイ２の部位に係止する。【選択図】図３
2010116260.tif 000002
【特許請求の範囲】
【請求項１】
装置本体に、用紙を支持するトレイが抜き差し可能にして設けられる用紙処理装置において、
前記装置本体は、前記トレイを所定の装着位置に案内する左右一対のトレイガイドと、このトレイガイドに近接して上下方向に揺動可能に設けられるロックレバーとを備え、
前記トレイガイドは、前記トレイの下部側縁を支持する座板部と、この座板部を部分的に切り欠いた切欠部とを有し、
前記ロックレバーは、その一端部が前記切欠部より前記座板部上に突出して前記トレイが前記装着位置に配されたとき該トレイの下部側縁により押し下げられるトリガー部とされると共に、
前記ロックレバーの他の一端部は、前記トリガー部が押し下げられたとき前記トレイの部位に係止する掛金部とされ、
前記装置本体の外側に位置する前記トレイの後部を持ち上げてその下部側縁を前記座板部から離間する方向に移動させたとき、前記掛金部が前記トレイの部位から外れて該トレイの抜き取りが許容されることを特徴とする用紙処理装置。
【請求項２】
前記装置本体又は前記トレイガイドに、前記トレイの挿入方向前端の位置決めをするストッパピンが取り付けられ、
前記トレイには、前記ストッパピンに係合する切欠凹部が形成されていることを特徴とする請求項１記載の用紙処理装置。
【発明の詳細な説明】
【技術分野】
【０００１】
本発明は、定形サイズの用紙に折り曲げ、切断、又は印刷といった所定の処理を施す用紙処理装置に係わり、特に用紙を支持するための抜き差し可能なトレイを備える用紙処理装置に関する。
【背景技術】
【０００２】
従来、定形サイズの用紙に所定の処理を施す装置として、用紙を折り畳む紙折り機、用紙に切目を付ける切目加工装置、又は用紙に印刷を施すプリンタなど種々の用紙処理装置が知られている。
【０００３】
係る用紙処理装置は、複数の用紙に連続して所定の処理を施せるよう用紙を支持する抜き差し可能なトレイを備えることが一般的である。例えば、プリンタや複写機には、給紙用の複数の用紙を積層状態で支持する給紙トレイのほか、印刷、複写が行われた用紙を受けるための排紙トレイが設けられる。
【０００４】
又、紙折り機は、給紙トレイや排紙トレイのほか、移送中の用紙を部分的に支持するトレイ（紙折り機ではテーブル、ガイド板、又は羽根などとも呼ばれる）を備え、これにより用紙の折り位置が決定されるようになっている（例えば、特許文献１）。
【０００５】
【特許文献１】実開２００６−６２８６７号公報
【発明の開示】
【発明が解決しようとする課題】
【０００６】
しかしながら、抜き差し可能なトレイを備える用紙処理装置によれば、装置本体の駆動によりトレイががたつき、不快な異音を発生することがある。
【０００７】
特に、特許文献１に開示されるような紙折り機では、トレイ（羽根）のがたつきにより紙折り位置がずれ、不良品が多発してしまう可能性がある。これを防止するべく、トレイを装置本体にネジ止めすると、トレイの抜き差しが煩雑となり、トレイを装置本体に完全に一体化した場合には、紙詰まり等を発生した場合の対処を行い難くなる。
【０００８】
本発明は以上のような事情に鑑みて成されたものであり、その目的は抜き差し可能なトレイを備える用紙処理装置にして、トレイのがたつきを防止しながらその抜き差しを容易に行えるようにすることにある。
【課題を解決するための手段】
【０００９】
本発明は上記目的を達成するため、
装置本体に、用紙を支持するトレイが抜き差し可能にして設けられる用紙処理装置において、
前記装置本体は、前記トレイを所定の装着位置に案内する左右一対のトレイガイドと、このトレイガイドに近接して上下方向に揺動可能に設けられるロックレバーとを備え、
前記トレイガイドは、前記トレイの下部側縁を支持する座板部と、この座板部を部分的に切り欠いた切欠部とを有し、
前記ロックレバーは、その一端部が前記切欠部より前記座板部上に突出して前記トレイが前記装着位置に配されたとき該トレイの下部側縁により押し下げられるトリガー部とされると共に、
前記ロックレバーの他の一端部は、前記トリガー部が押し下げられたとき前記トレイの部位に係止する掛金部とされ、
前記装置本体の外側に位置する前記トレイの後部を持ち上げてその下部側縁を前記座板部から離間する方向に移動させたとき、前記掛金部が前記トレイの部位から外れて該トレイの抜き取りが許容されることを特徴とする用紙処理装置を提供する。
【００１０】
加えて、前記装置本体又は前記トレイガイドに、前記トレイの挿入方向前端の位置決めをするストッパピンが取り付けられ、
前記トレイには、前記ストッパピンに係合する切欠凹部が形成されていることを特徴とする。
【発明の効果】
【００１１】
本発明によれば、装置本体に用紙を支持するトレイが抜き差し可能にして設けられる用紙処理装置において、トレイを所定の装着位置に案内するトレイガイドと、このトレイガイドに近接して上下方向に揺動可能なロックレバーとを装置本体に設け、トレイガイドにはトレイの下部側縁を支持する座板部と、この座板部を部分的に切り欠いた切欠部とを設け、ロックレバーには、トレイガイドの切欠部より座板部上に突出するトリガー部と、このトリガー部がトレイにより押し下げられたとき当該トレイの部位に係止する掛金部とを設けたことから、装置本体の駆動振動がトレイに伝播してもトレイががたついて異音を発生することを防止でき、しかも装置本体の駆動中において、トレイを所定の装着位置に維持したまま、このトレイで支持される用紙の位置ずれを防止することができる。
【００１２】
又、装置本体の外側に位置するトレイの後部を持ち上げてその下部側縁を座板部から離間する方向に移動させたとき、ロックレバーの掛金部がトレイの部位から外れて該トレイの抜き取りが許容されるようにしていることから、装置本体内の点検や紙詰まりに際してトレイを容易に抜き取ることができる。
【００１３】
更に、装置本体とトレイガイドのいずれかにトレイの挿入方向前端の位置決めをするストッパピンを取り付け、トレイにはストッパピンに係合する切欠凹部を形成したことから、トレイのがたつき防止効果が上がり、しかもストッパピンと切欠凹部との係合により、装着位置におけるトレイに対してロックレバーの掛金部を確実に係止することができる。
【発明を実施するための最良の形態】
【００１４】
以下、図面に基づいて本発明を詳しく説明する。図１は本発明に係る用紙処理装置として紙折り機を示す。図１において、１は装置本体であり、この装置本体１には給紙部１１と排紙部１２とが設けられる。給紙部１１は、固定台１１ａと可動台１１ｂとを有して構成され、その上に複数の用紙が積層状態で配置されるようになっている。特に、可動台１１ｂは、用紙のサイズにより固定台１１ａの後部に展開して用紙の支持面積を拡大することができ、不要時には図１の一点鎖線で示すよう固定台１１ａの一端部下方に垂下させて装置本体１からの張り出しを防止できるようになっている。
【００１５】
又、装置本体１内には、後述するトレイ２，３と協同して給紙部１１から一枚ずつ供給される用紙を所定の位置で折り込む複数のローラ１３，１４，１５，１６が設けられる。その各ローラ１３〜１６による用紙の折込工程は公知であるから、ここでは詳細な説明を省略し、以下に各ローラ１３〜１６の作用を簡単に説明すると、給紙部１１からの用紙は先ずローラ１３，１４の間を通じて先行部分のみ上部のトレイ２上に送られて該トレイ２で支持され、このときローラ１３，１４とトレイ２との間においてトレイ２で支持されない用紙の前側部分がローラ１４，１５の間に巻き込まれて一回目の折り込みが行われる。次に、その折目を先行端として下部のトレイ３上に用紙の先行部分のみ送られ、このときトレイ３上に達しない用紙の後側部分がローラ１４，１６の間に巻き込まれて２回目の折り込みが行われる。しかして、３つ折りとされた用紙がローラ１４，１６の間を通じて排紙部１２に排出されるようになっている。
【００１６】
尚、本例において用紙は３つ折りに限らず、上下のトレイ２，３に設けられる後述のストッパの位置を変更して用紙を４つ折りとしたり、又は上部のトレイ２に対する用紙の進入を禁止して用紙を２つ折りにしたりすることもできる。
【００１７】
ここで、上下のトレイ２，３は同一の構造であるため、以下に上部のトレイ２についてその構造及び保持機構を説明する。
【００１８】
図２は、係るトレイ２の縦断面を示す。図２において、トレイ２は、平面状の上面部２１、上面部２１の左右両側縁より下方に垂下する左右一対の側面部２２（図２には一方の側面部２２のみ示される）、及び上面部２１の後部（図２の右側）より下方に垂下する背面部２３を有して成る偏平構造物であり、上面部２１の裏面前側には背面部２３に対向するブラケット２４が固定されている。ブラケット２４と背面部２３にはネジ軸２５が回転自在にして架設され、背面部２３より突出するネジ軸２５の端部にはハンドル２６が取り付けられている。ネジ軸２５には移動ナット２７が螺合され、当該移動ナット２７の上面には上面部２１の表面上にあらわれる上述のストッパ２８及びカバープレート２９が固着されている。
【００１９】
ストッパ２８は、トレイ２の上面部２１上に送り込まれた用紙の進行を阻止して当該用紙の停止位置決めを行うものであり、その一端部には用紙の先端縁を突き当てるための障壁部２８ａが形成されている。一方、カバープレート２９は、トレイ２の上面部２１上に送り込まれた用紙の浮き上がりを防止するべく障壁部２８ａ上を覆う帯状の板材であり、このカバープレート２９と上面部２１との間には用紙の進入を許容する僅かな隙間Ｓ１が形成されている。尚、図２において、２２ａはトレイ２の下部側縁（側面部２２の下端）を切り欠いたロック用凹部、２２ｂは側面部２２の前端を切り欠いたＵ字形の切欠凹部である。
【００２０】
図３は、上記のように構成されるトレイ２が所定の装着位置に配された状態を示す側面図であり、図４は装着位置にあるトレイ２を上方からみた状態を示す。図３において、４は用紙の移動経路を切り換えるべく装置本体１に設けられる作動板であり、これは実線と一点鎖線で示される２位置の間を移動可能とされている。そして、係る作動板４は、図３の実線で示される位置にあってローラ１３，１４の間を通過した用紙がトレイ２上に進行するのを許容し、図２の一点鎖線で示される位置ではトレイ２上への用紙の進行を禁止して当該用紙をローラ１３，１４の間からローラ１４，１５の間に案内するよう機能する。
【００２１】
又、図２から明らかなように、トレイ２はその前端を下向きにして上記装置本体１に傾斜状に装着される。図２において、５はトレイ２を装着位置に保持する保持機構であり、この保持機構５は、トレイ２を装着位置に案内するトレイガイド６、トレイガイド６に近接して設けられるロックレバー７、及びトレイ２の切欠凹部２２ｂと係合するストッパピン８から構成される。
【００２２】
図４から明らかなように、トレイガイド６は装置本体１に２つ装備され、その両者６，６の間にトレイ２の前部が差し込まれるようになっている。尚、図４にはロックレバー７とストッパピン８が示されないが、ロックレバー７とストッパピン８もトレイ２の幅方向両側にあって装置本体１に２つずつ設けられている。又、図４において、ハッチングで示されるトレイ２の上面部２１には、ネジ軸２５に沿って複数（図示例において３つ）のガイド孔２１ａが穿設されており、その各ガイド孔２１ａに沿ってストッパ２８の障壁部２８ａが移動可能とされている。
【００２３】
次に、トレイガイド６とロックレバー７の構造について説明する。先ず、トレイガイド６の構造を説明すると、係るトレイガイド６は、図５に示されるようなコ字形の金具であり、その下部は上記トレイ２の下部側縁（側面部２２の下端）を支持する幅の狭い帯状の座板部６１とされている。又、座板部６１の一端縁より直角に立ち上がる壁面部６２には、ピン止め用孔６２ａとテーパ状を成す２つの固定用孔６２ｂとが穿設され、壁面部６２の上端には座板部６１に対向して該座板部６１よりも長さの短い短片部６３が一体に形成されている。特に、トレイガイド６には、座板部６１および該座板部に連続する壁面部６２を部分的に切り欠いて開口せしめた切欠部６４が形成されている。
【００２４】
一方、図６に示されるように、ロックレバー７は板材（金属板）を屈曲してなるものであり、帯状に連なる平板状のベース部７１には円形の取付用孔７１ａが穿設されている。又、ベース部７１の一端上部はトリガー部７２として内方に屈曲され、ベース部７１の他の一端部は上下方向に延びる帯状の掛金部７３として内方に屈曲されている。
【００２５】
そして、図７に示されるように、トレイガイド６は、２つの固定用孔６２ｂに挿入されるネジ６５にて装置本体１の定位置に固定され、ピン止め用孔６２ａには上記ストッパピン８が固定される。一方、ロックレバー７は、取付用孔７１ａに挿入されるピン７４によりトレイガイド６に近接して装置本体１に取り付けられ、そのピン７４を中心として上下方向に揺動可能とされている。特に、係るロックレバー７は、図７の実線で示されるように、無負荷時（トレイ２の非装着時）において掛金部７３側がその重量により下がり、その反対側に位置するトリガー部７２が切欠部６４から座板部６１上に突出するようになっており、この状態でトレイ２が上記の装着位置に配されると、その下部側縁により図７の一点鎖線で示されるようトリガー部７２が押し下げられ、これと反対に掛金部７３が上方に移動するようになっている。特に、図７から明らかなように、トリガー部７２はトレイの挿入方向（図７に示す矢印方向）に向かって切欠部６４から傾斜状に突出する態様とされる。これによれば、座板部６１に沿って差し込まれるトレイ２により、トリガー部７２を適切に押し下げることができる。
【００２６】
図８は、トレイ２が装着位置に配された状態を示す。この図で明らかなように、トレイ２は装着位置にあって切欠凹部２２ｂにストッパピン８が嵌まり込むことにより挿入方向前端の位置決めが行われ、その下部側縁がトレイガイド６の座板部６１により支持される。又、このとき、ロックレバー７は、そのトリガー部７２がトレイ２の下部側縁で押圧されることにより、ピン７４を中心として図８の反時計回りに揺動し、トリガー部７２とは反対の掛金部７３がトレイ２のロック用凹部２２ａに係止するようになっている。
【００２７】
このため、装置本体１の駆動による振動がトレイ２に伝播しても、トレイ２ががたついて異音を発することがなく、しかもロックレバー７によって用紙の進行方向（トレイ２の傾斜方向）に対するトレイ２の移動が防止されるために、図２に示されるストッパ２８を初期の設置位置に維持しながら上記ローラ１４，１５により用紙を設定位置にて正確に折り込むことができる。
【００２８】
尚、トレイ２を図８に示される装着位置に配する場合、トレイガイド６の座板部６１に沿ってトレイ２をスライドさせるのであり、これによりトレイ２の差し込みに際してその先端が図３に示される作動板４に激突することを防止しながら、ロックレバー７を作動させてその掛金部７３をロック用凹部２２ａに係止せしめることができる。
【００２９】
一方、装置本体１の保守点検等に際して装着位置にあるトレイ２を装置本体１から抜き取る場合には、図９のように装置本体１の外側に位置するトレイ２の後部（図９の右側）を持ち上げ、ストッパピン８を中心にトレイ２を上方旋回させてその下部側縁をトレイガイド６の座板部６１から離間する方向に移動させるのであり、これによりトリガー部７２に対する押圧力が解除されながら、掛金部７３が自重により降下してトレイ２のロック用凹部７３から外れ、以ってトレイ２の抜き取りが許容されるようになっている。
【００３０】
ここに、本例ではストッパピン８を中心とするトレイ２の上方旋回によりそのロック用凹部２２ａから掛金部７３が外れるよう、トレイガイド６の短片部６３とトレイ２との間にトレイ２の上方旋回を許容するギャップＳ２（図８参照）が確保されるが、トレイガイド６を短片部６１のないＬ字形の形態としたり、ストッパピン８を省略して短片部６３の前端をトレイ２に接触させるようにしたりしてもよい。
【００３１】
以上、本発明の具体例を説明したが、ストッパピン８はトレイガイド６に取り付けることに限らず、これを装置本体１に直付けするようにしてもよい。又、本発明は上記例のような紙折り機に限らず、プリンタ、複写機、又は用紙に切り取り用の切目を付ける切目加工装置など、種々の用紙処理装置に適用することができる。
【図面の簡単な説明】
【００３２】
【図１】本発明に係る用紙処理装置（紙折り機）を示す側面概略図
【図２】トレイの縦断面図
【図３】トレイが装置本体の装着位置に配された状態を示す側面図
【図４】装着位置にあるトレイを上方からみた状態を示す説明図
【図５】トレイガイドを示す斜視図
【図６】ロックレバーを示す斜視図
【図７】トレイガイドとロックレバーを装置本体に取り付けた状態を示す説明図
【図８】トレイが装着位置に配された状態を示す説明図
【図９】トレイを抜き取るときの状態を示す説明図
【符号の説明】
【００３３】
１  装置本体
２  トレイ
２２ａ  ロック用凹部
２２ｂ  切欠凹部
２８  ストッパ
５  保持機構
６  トレイガイド
６１  座板部
６４  切欠部
７  ロックレバー
７２  トリガー部
７３  掛金部
８  ストッパピン
【図１】
2010116260.tif 000003
【図２】
2010116260.tif 000004
【図３】
2010116260.tif 000005
【図４】
2010116260.tif 000006
【図５】
2010116260.tif 000007
【図６】
2010116260.tif 000008
【図７】
2010116260.tif 000009
【図８】
2010116260.tif 000010
【図９】
2010116260.tif 000011